(57)【特許請求の範囲】
【請求項１】
並置された一対のささら桁と、この一対のささら桁の間に階段段差を持った状態で水平に挟装された複数の踏板とを有している室内階段において、
前記ささら桁の前記踏板取付箇所に形成された前記ささら桁を貫通しない深さの非貫通ネジ孔が設けられ、
前記踏板の前記ささら桁への取付側端部は中空構造とされ、前記踏板の端縁の壁部には前記非貫通ネジ孔に整合するボルト挿通孔が設けられ、
前記踏板の前記ささら桁への取付けは、取付ボルトを前記ボルト挿通孔を通して前記非貫通ネジ孔へ螺合することにより行われ、
前記非貫通ネジ孔は、前記ささら桁の前記踏板取付箇所に角柱材で形成されたネジ孔形成用部材を固定することによって形成されたことを特徴とする室内階段。
【請求項２】
前記踏板の端縁の壁部は、その上縁から前記ささら桁の内側面へ向って延出している舌片を有しており、
前記踏板の取付状態で、前記舌片が前記ネジ孔形成用部材の上面に載置されることを特徴とする請求項１に記載の室内階段。
【発明の詳細な説明】
【技術分野】
【０００１】
本発明は、階段に係り、特に住宅内に設置される室内階段に係る。
【背景技術】
【０００２】
一般に、この種の階段は、並置された一対のささら桁と、この一対のささら桁の間に階段段差を持った状態で水平に挟装された複数の踏板とを有している。
【０００３】
ささら桁への踏板の取付けは、例えば特開昭５７−１２３３６３号公報（特許文献１）或いは特開平８−１０５１７３号公報（特許文献２）に示されているように、ささら桁にボルト挿通孔を設けるとともに、踏板端部にネジ孔を設け、ささら桁の外側面（踏板側の面に対して反対側の面）側から上記ボルト挿通孔へボルトを差し込み、このボルトを上記ネジ孔に螺合させ、締め込むことによって行われている。
【０００４】
【特許文献１】特開昭５７−１２３３６３号公報
【特許文献２】特開平８−１０５１７３号公報
【発明の開示】
【発明が解決しようとする課題】
【０００５】
このようにささら桁と踏板とで構成された室内階段は、ささら桁の上端部が上フロア側の所定部材に、下端部が下フロア側の所定部材に固定され室内に据え付けられるが、このように設置された室内階段は、ささら桁の外側面に上記ボルトの頭部が露出するため外観的に見栄えが良くない。
【０００６】
このような問題に対処するため、化粧ボルトを用いたり、ささら桁の外側面にボルト頭部を隠すための処置を施したりすることが行われる。化粧ボルトを用いれば、ボルト頭部の顕在が外観的に希薄化されるが、その存在を視覚的に全く認識できなくすることはできず、したがって、完全にすっきりした状態にはならない。また、ボルト頭部を隠すための処置を施す場合には、相応に構成された化粧部材を特別に用意したり、この化粧部材の取付け作業が必要になったりするため、経済性、作業性の面で好ましくない。
【０００７】
本発明の目的は、階段の強度を損なうことなく、ささら桁の外側面が外見的にシンプルですっきりした感じを与えるようにした室内階段を提供することである。
【課題を解決するための手段】
【０００８】
上記課題を解決するための、請求項１に記載の室内階段は、
並置された一対のささら桁と、この一対のささら桁の間に階段段差を持った状態で水平に挟装された複数の踏板とを有している階段において、
上記ささら桁の上記踏板取付箇所に形成された上記ささら桁を貫通しない深さの非貫通ネジ孔が設けられ、
上記踏板の上記ささら桁への取付側端部は中空構造とされ、上記踏板の端縁の壁部には上記非貫通ネジ孔に整合するボルト挿通孔が設けられ、
上記踏板の上記ささら桁への取付けは、取付ボルトを上記ボルト挿通孔を通して上記非貫通ネジ孔へ螺合することにより行われ、
上記非貫通ネジ孔は、上記ささら桁の上記踏板取付箇所に角柱材で形成されたネジ孔形成用部材を固定することによって形成されたことを特徴とする。
【０００９】
この構成によれば、ささら桁への踏板の取付けは、上記ボルト挿通孔と上記ネジ孔が整合するように踏板の端縁の壁部をささら桁に対して位置調整し、取付ボルトを上記ボルト挿通孔へ差し込み、更に上記ネジ孔へ螺合し、締め込むことによって行われ、その結果、取付ボルトの頭部は踏板の端縁の壁部の内側の中空部に隠された状態で配置されるので、ささら桁の外側面は取付ボルトの露出のないすっきりしたシンプルな表面を呈するものとなる。
【００１０】
また、この構成によれば、ささら桁が踏板に対して取付ボルトにより側方へ締め付けられた状態で固定されるので、両者の間に締付け剛性がもたらされ、それによって階段の横揺れ強度が増大し、高強度の室内階段がもたらされる。
【００１２】
更に、この構成によれば、予めタップ加工によりネジ孔を形成されたネジ孔形成用部材をささら桁内側面に固定することで、所期の非貫通ネジ孔が所定の踏板取付箇所に容易に設けられる。また、この構成によれば、ささら桁の本体部分に非貫通ネジ孔を設ける必要はないので、ささら桁は本来必要とされる強度をもたらすような厚さ寸法を有していればよく、したがって通常用いられているささら桁がそのまま利用できる。
【００１３】
そして、上記ネジ孔形成部材が角柱材で形成されているので、この角柱材のネジ孔開放側の側面に対して反対側の側面をささら桁内側面の所定箇所に当接し、角柱材とささら桁内側面との間に、例えば、すみ肉溶接を施すことにより、ネジ孔を所定の位置に容易にもたらすことができる。
【００１４】
請求項２に記載の室内階段は、
上記踏板の端縁の壁部は、その上縁から前記ささら桁の内側面へ向って延出している舌片を有しており、上記踏板の取付状態で、上記舌片が上記ネジ孔形成用部材の上面に載置されることを特徴とする。
【００１５】
この構成によれば、ネジ孔形成用部材に対する踏板の取付け強度が舌片によって増強され、より確固とした両者の結合が達成される。また、踏板をネジ孔形成用部材へ結合する際、ネジ孔形成用部材に対する踏板の位置決めが容易となる。
【発明の効果】
【００１６】
本発明によれば、必要な強度を備えた上に、シンプルですっきりした外観を呈する室内階段が比較的簡単且つ経済的に製作することができる。
【発明を実施するための最良の形態】
【００１７】
以下、図面に基づいて、本発明の実施の形態について詳細に説明する。図１は実施の形態に係る室内階段１の全体構成を正面図で示しており、図２は同全体構成を右側面図で示している。図示のように、室内階段１は、並置された一対のささら桁２，２と、この一対のささら桁の間に階段段差を持った状態で水平に挟装された複数の踏板３を有している。図中、４は手摺であって、この手摺４は中間枠材５によって補強された脚材６によって一方のささら桁２に取付けられている。このように構成された室内階段１は、ささら桁２の上端部が上フロアＵＦ側の所定部材７に、下端部が下フロアＬＦ側の所定部材８に固定され室内に据え付けられる。
【００１８】
ささら桁２は鉄板にて形成されており、ここに図示説明されている実施の形態では、図２に示すように、横桁部２０と縦桁部２１とを交互にジグザグに連続させた形状になっている。
【００１９】
図３は、ささら桁２と踏板３との結合部の構造を示す斜視図であって、図示のように、ささら桁２の内側面２２には横桁部２０に踏板３を結合するためのネジ孔形成用部材２３が固定されている。ネジ孔形成用部材２３の固定箇所は、以下に詳述する踏板３の取付側端部３０に対向する箇所である。ネジ孔形成用部材２３は鉄製の角柱材であって、２つのネジ孔２４がタップ加工により形成されている。ネジ孔形成用部材２３は、ネジ孔２４が踏板３の取付側端部３０に向って開口するように所定の位置に配置され、次いで、例えば符号２５にて示すようなすみ肉溶接により、ささら桁２の内側面２２に固定される。その結果、ネジ孔２４はささら桁２を貫通しない深さの非貫通ネジ孔となる。ネジ孔形成用部材２３は鉄製角柱材に代えて鉄製角筒体で製作してもよい。なお、図３は踏板３の一方側の取付側端部におけるささら桁２と踏板３との結合部の構造を示しているが、他方側の結合部も同様の構造となっている。
【００２０】
踏板３は鉄板製であって、図３に示すように、頂板３２と、この頂板３２の前後の側縁から垂下する側壁部３３と、頂板３２の端縁から垂下する端壁部３４とを有し、全体的に下側が開放した扁平な中空の直方体として構成されている。
【００２１】
ネジ孔形成用部材２３に対向して配置される端壁部３４には、上記非貫通ネジ孔２４に整合するように２つのボルト挿通孔３５が形成されている。端壁部３４の内側、即ち非貫通ネジ孔２４に対向する側部に対して反対側の部分は、踏板３が上述のように中空の直方体として構成されていることにより空所３６となっている。この結果、端壁部３４と空所３６は中空構造の取付側端部３０をもたらしている。
【００２２】
上記ネジ孔形成用部材２３に対する踏板３の固定は、空所３６から取付ボルト９をボルト挿通孔３５へ差し込み、更にこのボルト９を非貫通ネジ孔２４に螺合させ、締め込むことによって行われる。
【００２３】
図４及び図５は、ネジ孔形成用部材２３に対し踏板３を固定した後の状態を示しており、図４は図１中のＩＶ−ＩＶ線による拡大尺断面図、図５は図４中のＶ−Ｖ線による断面図である。これら図から明らかなように、取付ボルト９は、その頭部が空所３６の内部に隠された状態に配置され、取付ボルト９のその他の何れの部分もささら桁２の外側面に露出することはない。したがって、ささら桁２はシンプルですっきりした外側面を呈するものとなる。また、図５に示すように、ささら桁２が踏板３に対して取付ボルト９により側方へ締め付けられた状態で結合されるので、両者の間に締付け剛性がもたらされ、それによって階段１の横揺れ強度が増大する。
【００２４】
踏板３には木製の化粧被覆３７が取り付けられている。この化粧被覆３７は、図４及び図５に示すように、踏板３の頂板３２及び側壁部３３を外側から被覆するように嵌装されている。この化粧被覆３７はネジ孔形成用部材２３の上面２３１及び端面２３２（図３）をも被覆しており、これによりささら桁２の間に木製の一枚板でできているシンプルな踏板が取り付けられているような外観的印象を見る者に与えることができる。この場合、踏板３の下部を鉄板や木製板体などの化粧板で覆って空所３６を閉鎖すれば、空所３６の内部は完全に隠蔽され、踏板３のシンプルな外観的印象はより良好になる。踏板３が上記化粧被覆３７によって覆われている場合に、踏板３の下部を木製板体で覆うようにすれば、踏板３は何れの角度から見ても、あたかも木製踏板であるかのような印象を与えることができる。
【００２５】
図６は本発明の他の実施の形態を示している。この実施の形態によれば、踏板３の取付側端部３０は、端壁部３４の上縁からささら桁２の内側面へ向って延出している舌片３８を有している。舌片３８はネジ孔形成用部材２３の上面２３１に載置されるようになされている。これによってネジ孔形成用部材２３に対する踏板３の位置決めが容易になり、したがって、結合のための作業が容易に行える。また、踏板３の上面はささら桁２間一杯に継ぎ目なく延伸した状態のすっきりとした面になる。
【００２６】
上記舌片３８に加え、端壁部３４の下縁からささら桁２の内側面へ向って延出し、上記舌片３８と平行な下側舌片３９が設けられている。上側舌片３８及び下側舌片３９の間に形成される間隙にネジ孔形成用部材２３が嵌合するように双方の寸法が整えられており、したがって、ささら桁２への踏板３の取付状態では、ネジ孔形成用部材２３は上記間隙へ嵌装された状態になる。
【００２７】
この構成により、ネジ孔形成用部材２３に対する踏板３の取付け強度が上側及び下側舌片３８，３９によって増強され、両者の結合がより堅実で確固としたものになる。また、ネジ孔形成用部材２３に対する踏板３の位置決めが容易となり、したがって、結合のための作業が容易に行える。
【００２８】
また、ネジ孔形成用部材２３は上側及び下側舌片３８，３９によって遮蔽もしくは隠蔽され、踏板３の上面及び下面はささら桁間一杯に継ぎ目なく延伸した状態のすっきりとした面になる。したがって、この場合には化粧被覆３７の装着を省略してもよい。
【００２９】
上側及び下側舌片３８，３９に加えて、踏板３の２つの側壁部３３からささら桁２の内側面へ向って延出す側部舌片（図示せず）を設けてもよい。これら側部舌片によって、上側及び下側舌片３８，３９との間隙内へ嵌装されるネジ孔形成用部材２３は横方向の位置規制も行われ、したがって位置決めと接続の作業が更に簡単になる。また、この側部舌片を付加すれば、ネジ孔形成用部材２３の端面２３２（図３）も遮蔽もしくは隠蔽され、踏板３の側面も、ささら桁間一杯に継ぎ目なく延伸した状態になる。したがって、踏板３の上面と共に側面もすっきりして見栄えがよいものとなり、化粧被覆の装着なしに実用に供することができる階段をもたらすことができる。
【図面の簡単な説明】
【００３０】
【図１】第一の実施の形態に係る室内階段の正面図である。
【図２】図１に示す室内階段の右側面図である。
【図３】同室内階段のささら桁と踏板との結合部の構造を示す部分的斜視図である。
【図４】図１中のＩＶ−ＩＶ線による拡大尺断面図である。
【図５】図４中のＶ−Ｖ線による断面図である。
【図６】第二の実施の形態に係る室内階段の、図４と同様の断面図である。
【符号の説明】
【００３１】
１  階段
２  ささら桁
２０  横桁部
２１  縦桁部
２２  内側面
２３  ネジ孔形成用部材
２４  ネジ孔
２５  溶接部
３  踏板
３０  取付側端部
３２  頂板
３３  壁部
３４  壁部
３５  ボルト挿通孔
３６  空所
４  手摺
９  取付ボルト
【図１】
0005177370.tif 000002
【図２】
0005177370.tif 000003
【図３】
0005177370.tif 000004
【図４】
0005177370.tif 000005
【図５】
0005177370.tif 000006
【図６】
0005177370.tif 000007